(57)【要約】      （修正有）【課題】サイズの異なる肩ベルト、リュックサックやカバンから取り外すことができない肩ベルト、先端に金具が装着されている肩ベルトにも簡単に装着でき、ショルダーストラップが引っ張られても肩ベルトから外れないズレ止めフックを提供する。【解決手段】ベルト状の本体１１を容易に屈曲する合成ゴムで成形し、一端にショルダーストラップを掛止するフック片１６、１７を設け、本体を肩ベルトに巻き付けて装着する。合成ゴム製の内曲がりフック片１６と外曲がりフック片１７は、掛止したショルダーストラップが強い力で引っ張られたときには、屈曲変形するので、ショルダーストラップは内曲がりフック片又は外曲がりフック片から外れる。そのため、ショルダーストラップが切断されたり、使用者が転倒するのを防止できる。【選択図】図１
0003212381.tif 000002
【実用新案登録請求の範囲】
【請求項１】
肩ベルトに着脱可能に取り付け、肩に掛けたショルダーストラップが肩からずれ落ちるのを防止するズレ止めフックであって、
ベルト状の本体の一端に、本体の他端が挿通可能な長穴を形成するとともに、他端側へ屈曲する内曲がりフック片を設け、
ベルト本体と内曲がりフック片を合成ゴムで一体成形し、
肩に掛けた肩ベルトに取り付けたとき、内曲がりフック片が上に向くように本体を肩ベルトに巻き付け、本体の他端を長穴に挿通して本体の一端と他端を連結し、
ショルダーストラップを内曲がりフック片に掛止するようにしたことを特徴とするズレ止めフック。
【請求項２】
前記ベルト本体の一端側へ屈曲する外曲がりフック片を前記内曲がりフック片に対向し、かつ両フック片の先端部の間に所定幅の空隙が形成されるように前記本体に一体成形したことを特徴とする請求項１に記載のズレ止めフック。
【請求項３】
前記ベルト本体の他端の表面又は裏面に、前記長穴の端面に係止する複数本の抜け止め防止片を、本体の長手方向に沿って列設したことを特徴とする請求項１に記載のズレ止めフック。
【請求項４】
前記ベルト本体の他端の表面又は裏面に、本体を掴む指用の滑り止め突起を設けたことを特徴とする請求項１に記載のズレ止めフック。
【請求項５】
前記ベルト本体の一端に、ホルダー類を掛止するための穴を形成したことを特徴とする請求項１に記載のズレ止めフック。
【考案の詳細な説明】
【技術分野】
【０００１】
本考案は、ズレ止めフックに関し、より詳しくは、抱っこ紐、リュックサック、肩掛けカバン等の肩ベルトに着脱可能に取り付け、肩に掛けたショルダーバッグ、カメラ、水筒等のショルダーストラップが肩からずれ落ちるのを防止するズレ止めフックに関する。
【背景技術】
【０００２】
母親が抱っこ紐の肩ベルトを肩に掛けて乳児を抱き、哺乳瓶、水筒、着替えのおむつ、涎拭き等をショルダーバックに入れ、ショルダーバッグのショルダーストラップを肩に掛けて外出するとき、肩に掛けたショルダーストラップがずれ、時として肩から外れてしまう。そのため母親はショルダーストラップが肩からずれるたびに掛け直さなければならず、煩わしい思いをする。
また、肩ベルトを肩に掛けてリュックサックを背負い、カメラや水筒のショルダーストラップを肩に掛けて歩くときも、ショルダーストラップがずれて煩わしい。
【０００３】
このような煩わしさを解消する手段として、特開２００６−６１２１２号公報には、フック片と、肩ベルトを通す一対の長穴を一体に設けたズレ止めフック、及びクリップ状の本体の一端にフック片を設けたクリップ型のズレ止めフックが開示されている。
【先行技術文献】
【特許文献】
【０００４】
【特許文献１】特開２００６−６１２１２号号公報
【考案の概要】
【考案が解決しようとする課題】
【０００５】
上述したフック片と一対の肩ベルトを通す長穴を一体に設けたズレ止めフックは、長穴に挿通可能な幅や厚みを備えた肩ベルトだけに適用可能で、リュックサックやカバンから取り外すことが出来ない肩ベルト、先端に金具が取り付けられているため長穴に挿通できない肩ベルト、あるいは長穴のサイズに合わない肩ベルトには装着できない。
また、二つの長穴に肩ベルトを挿通するので、肩ベルトへの装着作業が面倒である。
【０００６】
クリップ型のズレ止めフックは、肩ベルトへの装着は容易であるが、その反面、ショルダーストラップが何かに引っ掛かって引っ張られると、簡単に肩ベルトから外れてしまうおそれがある。
本考案はかかる問題点に鑑み、サイズの異なる肩ベルト、リュックサックやカバンから取り外すことができない肩ベルト、先端に金具が装着されている肩ベルトにも簡単に装着でき、ショルダーストラップが引っ張られても肩ベルトから外れないズレ止めフックを提供することを目的とする。
【課題を解決するための手段】
【０００７】
請求項１に記載の考案は、
肩ベルトに着脱可能に取り付け、肩に掛けたショルダーストラップが肩からずれ落ちるのを防止するズレ止めフックであって、
ベルト状の本体の一端に、本体の他端が挿通可能な長穴を形成するとともに、他端側へ屈曲する内曲がりフック片を設け、
ベルト本体と内曲がりフック片を合成ゴムで一体成形し、
肩に掛けた肩ベルトに取り付けたとき、内曲がりフック片が上に向くように本体を肩ベルトに巻き付け、本体の他端を長穴に挿通して本体の一端と他端を連結し、
ショルダーストラップを内曲がりフック片に掛止するようにしたことを特徴とする。
【０００８】
請求項２に記載の考案は、請求項１に記載のズレ止めフックにおいて、
前記ベルト本体の一端側へ屈曲する外曲がりフック片を前記内曲がりフック片に対向し、かつ両フック片の先端部の間に所定幅の空隙が形成されるように前記本体に一体成形したことを特徴とする。
【０００９】
そして、好ましくは、前記ベルト本体の他端の表面又は裏面に、前記長穴の端面に係止する複数本の抜け止め防止片を、本体の長手方向に沿って列設する。
【００１０】
また、好ましくは、前記ベルト本体の他端の表面又は裏面に、本体を掴む指用の滑り止め突起を設ける。
【００１１】
さらにまた、好ましくは、前記ベルト本体の一端に、ホルダー類を掛止するための穴を形成する。
【考案の効果】
【００１２】
請求項１に記載の考案によれば、ベルト状の本体を容易に屈曲する合成ゴムで成形したので、本体を肩ベルトに巻き付けることができる。そのため、厚みや幅の違う肩ベルト、リュックサックやカバンから取り外すことができない肩ベルト、先端に金具が装着されている肩ベルト等にも簡単に装着できる。
また、合成ゴム製の内曲がりフック片は、掛止したショルダーストラップが強い力で引っ張られたとき、屈曲変形するので、ショルダーストラップが内曲がりフック片から外れる。そのため、ショルダーストラップを引っ張る強い力で、ショルダーストラップが切断され、あるいは使用者が転倒するのを防止できる。
【００１３】
請求項２に記載の考案によれば、内曲がりフック片の先端部と外曲がりフック片の先端部の間の空隙を通してショルダーストラップをいずれかのフック片に係止できる。
しかして、ショルダーストラップは両フック片で挟まれるので、歩行時に肩が揺れたり、ショルダーストラップで吊り下げた水筒やカメラが揺れてもてもフック片から外れ難い。
また、空隙より幅の広いショルダーストラップであっても、ショルダーストラップを空隙に通すとき両フック片が屈曲して空隙が広がるので、空隙より幅の広いショルダーストラップでもフック片に係止できる。
【図面の簡単な説明】
【００１４】
【図１】本考案の一実施例に係るズレ止めフックを示す斜視図である。
【図２】同ズレ止めフックを示す背面図である。
【図３】同ズレ止めフックの使用方法を示す説明図である。
【図４】同ズレ止めフックの使用方法を示す断面図である。
【実施例】
【００１５】
以下に本考案を説明する。図１及び図２には本考案の一実施例に係るズレ止めフック１０が示されている。当該ズレ止めフック１０はベルト状の本体１１を備えている。本体１１の一端１１ａには本体１１の幅より広い幅を有するブロック片１２が設けられ、ブロック片１２には本体１１の幅方向に延びる長穴１３が形成されている。また。ブロック片１２には突出部１４が設けられ、突出部１４に丸穴１５が形成されている。長穴１３は本体１１の他端１１ｂが挿通可能な寸法を有している。
【００１６】
本体１１の一端１１ａの表面には長穴１３の内側に他端１１ｂ側へ屈曲する内曲がりフック片１６と、本体１１の一端１１ａ側へ屈曲する外曲がりフック片１７が互いに対向するように設けられている。これら両フック片１６，１７はそれぞれの先端部の間に所定幅の空隙１８が形成されるように配置されている。本体１１の他端１１ｂの表面には、本体１１の他端１１ｂを長穴１３に挿通したとき、長穴１３の端面に係止する複数本の抜け止め防止片１９が本体１１の長手方向に沿って列設されている。各抜け止め防止片１９は山形の断面形状を有する。本体１１の他端１１ｂの裏面には本体１１を掴む指用の滑り止め突起２０が３本設けられてる。各滑り止め突起２０は径の異なる円弧形を有している。
本体１１、ブロック片１２、突出部１４、内曲がりフック１６、外曲がりフック１７、抜け止め防止片１９、滑り止め防止片２０はいずれも合成ゴムで一体成形されている。
【００１７】
本実施例に係るズレ止めフック１０の構造は以上の通りであって、図３にはズレ止めフック１０を抱っこ紐３０の肩ベルト３１に装着した使用方法が示されている。抱っこ紐３０の肩ベルト３１にズレ止めフック１０を装着するには図４に示すように、肩に掛けた肩ベルト３１に取り付けたとき内曲がりフック片１６及び外曲がりフック片１７が上に向くように、本体１１を肩ベルト３１に巻き付け、本体１１の他端１１ｂを長穴１３に挿通し、抜け止め防止片１９を長穴１３の端面に係止して他端１１ｂと一端１１ａを連結する。こうすることによりズレ止めフック１０が肩ベルト３１に装着される。そこで、ショルダーバッグ３２のショルダーストラップ３３を両フック片１６，１７のいずれかに掛止する。必要に応じ、涎拭きホルダー３４を丸穴１５に取り付ける。
【００１８】
本実施例に係るズレ止めフック１０によれば、ベルト状の本体１１を容易に屈曲する合成ゴムで成形したので、本体１１を肩ベルト３１に巻き付けることができる。そのため、厚みや幅の違う肩ベルト、リュックサックやカバンから取り外すことができない肩ベルト、先端に金具が装着されている肩ベルト３１等にも簡単に装着できる。
【００１９】
合成ゴム製の内曲がりフック片１６と外曲がりフック片１７は、掛止したショルダーストラップ３３が強い力で引っ張られたとき、屈曲変形するので、ショルダーストラップ３３が内曲がりフック片１６又は外曲がりフック片１７から外れる。そのため、ショルダーストラップ３３を引っ張る強い力で、ショルダーストラップ３３が切断され、あるいは母親が転倒するのを防止できる。
【００２０】
内曲がりフック片１６の先端部と外曲がりフック片１７の先端部の間の空隙１８を通してショルダーストラップ３３をいずれかのフック片１６，１７に掛止されるが、歩行時に肩が大きく揺れたり、ショルダーストラップ３３で肩から吊り下げた水筒やカメラが大きく揺れても、ショルダーストラップ３３が両フック片１６，１７で挟まれているので、フック片１６，１７から外れ難い。
【００２１】
空隙１８より幅の広いショルダーストラップ３３であっても、ショルダーストラップ３３を空隙１８に通すとき両フック片１６，１７が屈曲して空隙１８が広がるので、ショルダーストラップ３３をフック片１６，１７に係止できる。
【符号の説明】
【００２２】
１０…ズレ止めフック
１１…ベルト状の本体
１１ａ…一端
１１ｂ…他端
１３…長穴
１４…丸穴
１６…内曲がりフック片
１７…外曲がりフック片
１８…空隙
１９…抜け止め突起
２０…滑り止め突起
３０…抱っこ紐
３１…肩ベルト
３２…ショルダーバッグ
３３…ショルダーストラップ
【図１】
0003212381.tif 000003
【図２】
0003212381.tif 000004
【図３】
0003212381.tif 000005
【図４】
0003212381.tif 000006